(57)【要約】【課題】ツイスト運動とバランス運動と足踏み運動の各々の要素を複合した形の運動を行うことができる新規なトレーニング器具を提供する。【解決手段】トレーニング器具は、ベースフレーム１と、垂直な回転中心軸線Ｍ１を中心に回転自在に支持された中央支柱１０と、平行リンク機構を介して互いにかつ中央支柱１０と連結された上下動する一対の側部支柱１５と、垂直な回転中心軸線Ｍ２を中心に側部支柱１５に回転自在に支持された一対の足乗せプレート２６と、を備える。利用者は、足乗せプレート２６上に起立して、バランスを取りながら左右の足を上下に動かすとともに下半身を捻る運動を行うことができる。【選択図】図２
2019017437.tif 000002
【特許請求の範囲】
【請求項１】
床面上に配置されるベースフレームと、
このベースフレームから垂直に起立しており、かつ垂直な回転中心軸線を有するように、上記ベースフレームに回転自在に支持された中央支柱と、
この中央支柱の両側に、当該中央支柱を含めた三者が互いに平行となるように対称に配置された一対の側部支柱と、
それぞれ水平な回転中心軸線に沿って、両端部が上記側部支柱の各々にそれぞれ回動可能に連結されるとともに中央部が上記中央支柱に回動可能に支持されており、上記一対の側部支柱がそれぞれ垂直姿勢を保ったまま上下に昇降可能となる平行リンク機構を構成する複数のリンクプレートと、
上記一対の側部支柱の上端にそれぞれ配置され、かつ垂直な回転中心軸線を有するように上記側部支柱にそれぞれ回転自在に支持された一対の足乗せプレートと、
を備えてなるトレーニング器具。
【請求項２】
利用者が把持する手摺りをさらに備え、この手摺りは、上記ベースフレームの端部から立ち上がって設けられている、ことを特徴とする請求項１に記載のトレーニング器具。
【請求項３】
上記リンクプレートは、相対的に上方に位置する上部リンクプレートと、相対的に下方に位置する下部リンクプレートと、を含み、
少なくとも上部リンクプレートは、上記側部支柱との連結点および上記中央支柱との連結点の高さ位置に比較してこれら連結点の間の中間部が下方に窪んだＷ字形状をなしている、ことを特徴とする請求項１または２に記載のトレーニング器具。
【請求項４】
上記ベースフレームは、上記側部支柱の下端が当接する円環状のストッパを備えている、ことを特徴とする請求項１〜３のいずれかに記載のトレーニング器具。
【発明の詳細な説明】
【技術分野】
【０００１】
この発明は、いわゆるツイスト運動とバランス運動と足踏み運動の各々の要素を複合した形の運動を行うことができる新規なトレーニング器具に関する。
【背景技術】
【０００２】
特許文献１〜３には、利用者が両足を一緒に乗せて立つことができる比較的大きな円盤状部材を不安定に支持し、利用者がバランスを取りながら動くことでバランス感覚の向上や筋力の向上を図るようにしたトレーニング器具が開示されている。
【０００３】
特許文献４，５には、左右の足が個々に回転動作し得るように左右一対の回転台を備え、利用者がこれら一対の回転台の上に立って下半身を捻るツイスト運動が行えるように構成したトレーニング器具が開示されている。
【０００４】
さらに、特許文献６，７には、踏段昇降に類似した足踏み運動を行うステッパーにおいて、左右の足乗せ台を個々に回転可能に支持し、足踏み運動に加えて下半身を捻るツイスト運動が行えるようにした構成が開示されている。
【先行技術文献】
【特許文献】
【０００５】
【特許文献１】特開２００７−３７９７４号公報
【特許文献２】特開２００８−６１９４２号公報
【特許文献３】特表昭６３−５０２０８１号公報
【特許文献４】実用新案登録第３１３８５９７号公報
【特許文献５】実用新案登録第３１６５５５８号公報
【特許文献６】実用新案登録第３１６０３８６号公報
【特許文献７】実用新案登録第３１１３９５０号公報
【発明の概要】
【発明が解決しようとする課題】
【０００６】
特許文献１〜３のようなトレーニング器具では、両足を揃えたままバランス運動を行うものであるため、骨盤や股関節周囲の運動を効率よく行うことはできない。
【０００７】
また、特許文献４，５のトレーニング器具では、両足（踵からつま先部分）が同一平面上に位置したままツイスト運動を行うこととなるので、骨盤や股関節が基本的に水平面に沿って動くに過ぎず、やはり骨盤や股関節周囲の運動を効率よく行うことはできない。
【０００８】
また、特許文献６，７のトレーニング器具では、足踏み運動をしながらツイスト運動を行うことができるが、バランス運動を同時に行えるものではない。また、ツイスト運動についても、例えば、体全体が正面を向いた状態で左右の足乗せ台が個々に回転するに過ぎないので、体全体を大きく捻るようなツイスト運動を行えず、いわゆる体幹の強化を効果的に行うことができない。
【０００９】
このように、従来のトレーニング器具においては、多忙な現代人が限られた時間で効果的な運動を行う上で、なお改善の余地があった。
【課題を解決するための手段】
【００１０】
この発明に係るトレーニング器具は、
床面上に配置されるベースフレームと、
このベースフレームから垂直に起立しており、かつ垂直な回転中心軸線を有するように、上記ベースフレームに回転自在に支持された中央支柱と、
この中央支柱の両側に、当該中央支柱を含めた三者が互いに平行となるように対称に配置された一対の側部支柱と、
それぞれ水平な回転中心軸線に沿って、両端部が上記側部支柱の各々にそれぞれ回動可能に連結されるとともに中央部が上記中央支柱に回動可能に支持されており、上記一対の側部支柱がそれぞれ垂直姿勢を保ったまま上下に昇降可能となる平行リンク機構を構成する複数のリンクプレートと、
上記一対の側部支柱の上端にそれぞれ配置され、かつ垂直な回転中心軸線を有するように上記側部支柱にそれぞれ回転自在に支持された一対の足乗せプレートと、
を備えて構成されている。
【００１１】
運動を行う利用者は、一対の足乗せプレートの上に左右の足を乗せて起立し、バランスを取りながら運動を行う。例えば、一対の足乗せプレートは、平行リンク機構により、水平な回転中心軸線を中心としていわゆるシーソーのように上下に自在に動く。また、個々の足乗せプレートは、側部支柱の上で垂直な回転中心軸線を中心として自在に回転する。さらに、両足を乗せている一対の足乗せプレートが、中央支柱における垂直な回転中心軸線を中心として自在に回転する。つまり、一対の足乗せプレートは、個々に自在に自転し、かつ中央支柱を中心として自在に公転する。従って、利用者が一対の足乗せプレートの上に起立したときに、上下方向や回転方向について非常に不安定な状態となり、ここで利用者がバランスを取るように動作するだけで、必要な筋力の強化やバランス感覚の強化がなされる。
【００１２】
そして、典型的な一つの運動としては、上半身を特定の方向へ正対させたまま、両足を交互に前後（厳密には中央支柱を中心とした円弧に沿った方向）に動かしながら両足のバランスを取って踏み段昇降のように上下動させることで、骨盤や股関節周囲を３次元的に捻ることができる。例えば、右足を前に出しながら左足よりも高くなるようにし、次に、左足を前に出しながら右足よりも高くなるようにする、といった動作をバランスを取りながら繰り返すことで、骨盤や股関節周囲が３次元的に大きく捻られ、股関節等の可動域が大きくなるとともに、体幹の強化が図れ、かつ中殿筋を含む股関節周囲ないし下半身の筋肉が強化される。
【００１３】
すなわち、垂直な回転中心軸線と水平な回転中心軸線とを組み合わせた自由度の高いトレーニング器具により、ツイスト運動とバランス運動と足踏み運動の各要素を複合した形の効果的な運動が可能となり、いわゆる足腰および体幹の強化に関し短時間で効果的なトレーニングを行うことができる。
【００１４】
本発明の好ましい一つの態様では、トレーニング器具は、利用者が把持する手摺りをさらに備えており、この手摺りは、上記ベースフレームの端部から立ち上がって設けられている。
【００１５】
これにより、利用者は手摺りを把持して下半身をより大きく動かすことが可能となる。また、初心者も安心して利用できることとなる。
【００１６】
また、本発明の好ましい一つの態様では、上記リンクプレートは、相対的に上方に位置する上部リンクプレートと、相対的に下方に位置する下部リンクプレートと、を含み、
少なくとも上部リンクプレートは、上記側部支柱との連結点および上記中央支柱との連結点の高さ位置に比較してこれら連結点の間の中間部が下方に窪んだＷ字形状をなしている。
【００１７】
このように上部リンクプレートがＷ字形状をなすことで、一方の足乗せプレートが最下点に位置したときの上部リンクプレートと足乗せプレートとの干渉が抑制される。そのため、足乗せプレートの上下ストロークを大きく確保することができるとともに、最下点に位置する足乗せプレートと上部リンクプレートとの間に十分な間隔を得ることができ、例えば靴が挟み込まれたりすることを抑制できる。
【００１８】
また好ましくは、上記ベースフレームは、上記側部支柱の下端が当接する円環状のストッパを備えている。すなわち、足乗せプレートを支持した側部支柱は、中央支柱を中心として回転（公転）するが、このように円環状のストッパを備えることで、側部支柱がどのような位置にあっても、最下点位置でストッパに規制される。
【発明の効果】
【００１９】
この発明によれば、ツイスト運動とバランス運動と足踏み運動の各要素を複合した形の効果的な運動が可能となり、いわゆる足腰および体幹の強化に関し短時間で効果的なトレーニングを行うことができる。
【図面の簡単な説明】
【００２０】
【図１】一実施例のトレーニング器具の斜視図。
【図２】図１とは異なる方向から見たトレーニング器具の斜視図。
【図３】この実施例のトレーニング器具の分解斜視図。
【図４】平行リンク機構の構成を示す正面図。
【図５】図４のＡ−Ａ線に沿った要部の断面図。
【図６】トレーニング器具に利用者が立った状態を示す説明図。
【図７】トレーニング器具を用いた運動の一例を示す説明図。
【図８】トレーニング器具を用いた運動の他の例を示す説明図。
【発明を実施するための形態】
【００２１】
以下、この発明の一実施例を図面に基づいて詳細に説明する。図１〜図３は、この発明に係るトレーニング器具の一実施例を示している。このトレーニング器具は、トレーニングジム等の床面上に配置されるベースフレーム１を備える。ベースフレーム１は、偏平な断面形状を有する金属管をＨ字型に結合したもので、互いに平行な直線状をなすフロントビーム２およびリヤビーム３と、フロントビーム２の中央部とリヤビーム３の中央部とを互いに連結する直線状の中央ビーム４と、から構成されている。ベースフレーム１の一端部となる上記フロントビーム２には、手摺り５が垂直に立ち上がった状態に設けられている。この手摺り５は、断面円形の金属管からなり、垂直方向に延びる一対の支柱部６，６と、これら一対の支柱部６，６の上端を互いに連結するように水平方向に延びた手摺り部７と、を備えている。換言すれば、手摺り５は、全体として、上下に細長い略Ｕ字形をなしている。手摺り部７は、利用者が把持する部分であり、例えば硬質合成樹脂やゴム等の非金属材料で被覆してあることが好ましい。なお、図３の分解斜視図に示すように、手摺り５は、梱包や搬送の際の便宜のために、いくつかの部分に分割して構成することができる。
【００２２】
上記中央ビーム４の長手方向の中間部（より詳しくは相対的にリヤビーム３に近い位置）には、角柱形状をなす中央支柱１０が取り付けられている。この中央支柱１０は、中央ビーム４の上面から垂直に起立しており、垂直な回転中心軸線Ｍ１（図２参照）を有するように、中央ビーム４に回転自在に支持されている。詳しくは、図５の断面図に示すように、中央ビーム４側に、円環状のフランジ１１ａを内周面に備えた円筒状の軸受部材１１が堅固に設けられている。中央支柱１０の下端には、回転軸ともなるボルト１２が堅固に取り付けられている。そして、フランジ１１ａを上下に挟むように一対のスラストベアリング１３，１３を配した状態でボルト１２の軸部がフランジ１１ａの開口を貫通しており、先端に螺合したナット１４を締め付けることで、一対のスラストベアリング１３，１３がフランジ１１ａを挟持している。このような軸受構造を介して、中央支柱１０は、中央ビーム４に回転自在に支持されている。
【００２３】
上記中央支柱１０の両側には、一対の側部支柱１５，１５が中央支柱１０を挟んで対称となるように配置されている。一対の側部支柱１５，１５は、中央支柱１０と同じく垂直に延びており、中央支柱１０を含めた三者が互いに平行となっている。側部支柱１５，１５と中央支柱１０は、互いにほぼ等しい太さの正方形に近い断面を有する角柱形状をなしている。そして、側部支柱１５，１５の垂直方向の長さは、中央支柱１０の垂直方向の長さよりも僅かに短いものとなっている。
【００２４】
一対の側部支柱１５，１５は、上部リンクプレート１７と下部リンクプレート１８とによって構成される平行リンク機構により互いに連結されている。換言すれば、図４から容易に理解できるように、一対の側部支柱１５，１５と上部リンクプレート１７と下部リンクプレート１８との４本のリンクが平行リンク機構を構成しており、これにより、一対の側部支柱１５，１５がそれぞれ垂直姿勢を保ったまま上下に昇降可能となっている。
【００２５】
鋼板からなるリンクプレート１７，１８は、いずれも図４に示すようにＷ字形状をなしており、長手方向の両端部が側部支柱１５，１５にそれぞれ回動可能に連結されるとともに、中央部が中央支柱１０に回動可能に連結ないし支持されている。これらの連結点では、いずれも水平な回転中心軸線に沿って相対回転が可能である。図２の線Ｍ３は、各連結点の回転中心軸線の代表として、上部リンクプレート１７中央の中央支柱１０に対する連結点における水平な回転中心軸線を示している。なお、上部リンクプレート１７と下部リンクプレート１８は、機構学上のリンクとしては、互いに平行なものとなっている。
【００２６】
また、中央支柱１０に対する中央の連結点は、側部支柱１５，１５に対する２つの連結点を結ぶ線上に位置している。つまり、リンクプレート１７，１８がそれぞれ水平姿勢にあるときに、側部支柱１５，１５に対する連結点と中央支柱１０に対する連結点は、等しい高さ位置にある。そして、各々のリンクプレート１７，１８は、一端の側部支柱１５に対する連結点と中央の中央支柱１０に対する連結点との間の中央部が下方へ窪んだＷ字形に構成されている。なお、側部支柱１５，１５に対する連結点と中央支柱１０に対する連結点とが上下に多少オフセットしている構成も可能である。
【００２７】
図１〜図３に示すように、上部リンクプレート１７は、実際には中央支柱１０や側部支柱１５，１５を間に挟むようにして前後に２つ対称に存在する。下部リンクプレート１８についても同様であり、２つの下部リンクプレート１８が中央支柱１０や側部支柱１５，１５を挟んで対称に配置されている。２つの上部リンクプレート１７，１７は、Ｗ字形の下部の頂点に相当する２箇所の位置において、水平方向に延びた連結管２０によって互いに一体に連結されている。詳しくは、連結管２０の両端が一対の上部リンクプレート１７，１７の互いの内側面にそれぞれ溶接されている。これにより、２つの上部リンクプレート１７，１７は、予め堅固な梯子状に構成されている。そして、中央支柱１０および側部支柱１５，１５に対する連結点となる３箇所には、スペーサとして機能する中空管２１を通して回転軸となる比較的細長いボルト２２がそれぞれ挿通されている。このボルト２２は、中央支柱１０および側部支柱１５，１５に設けられた軸受孔２３（図３参照）を回転自在に貫通しており、先端にナット２４が螺合することで、上部リンクプレート１７，１７に組み付けられている。上部リンクプレート１７の各々と中央支柱１０および側部支柱１５，１５との間には、スペーサとなる中空管２１が介在しており、ボルト２２の周面を覆っている。
【００２８】
下部リンクプレート１８についても同様の構成であり、２つの下部リンクプレート１８，１８が連結管２０によって互いに一体化されており、かつボルト２２を介して中央支柱１０や側部支柱１５，１５に回転自在に連結されている。
【００２９】
このように一対の側部支柱１５，１５が平行リンク機構によって連結されていることにより、一方の側部支柱１５と他方の側部支柱１５は、互いに連動して上下動する。つまり、水平な回転中心軸線Ｍ３を中心として自在に揺動し、かつ、平行リンク機構の機能により側部支柱１５，１５は常に垂直姿勢を維持する。
【００３０】
上記のように平行リンク機構によって連結されている一対の側部支柱１５，１５の上端には、それぞれ円形の金属板からなる足乗せプレート２６が配置されている。この一対の足乗せプレート２６，２６は、それぞれ垂直な回転中心軸線Ｍ２（図２参照）を有するように、中心点において側部支柱１５，１５に回転自在に支持されている。足乗せプレート２６，２６を回転自在に支持する軸受構造は、前述した中央支柱１０の軸受構造と基本的に同様のものであり、詳細には図示しないが、足乗せプレート２６，２６の下面中央にボルトが固定されており、側部支柱１５，１５の上端部に設けた円環状のフランジを一対のスラストベアリングを介して上記ボルトおよびナットにより挟持した構成となっている。一対の足乗せプレート２６，２６は、利用者が左右の足を個々に乗せるものであり、一般的な靴の長さよりも僅かに大きい程度の直径を有している。また、一対の足乗せプレート２６，２６の中心点の間の間隔つまり一対の側部支柱１５，１５の間隔は、一般的な成人の肩幅程度に設定されている。
【００３１】
一対の側部支柱１５，１５の間隔に対応して、ベースフレーム１は、金属管を円形に湾曲させて構成した円環状の堅固なストッパ２８を備えている。このストッパ２８は、中央支柱１０の回転中心軸線Ｍ１を中心とする円をなすように形成されており、例えば中央ビーム４の上面に溶接されて固定されている。円環状をなすストッパ２８の径は、中央支柱１０を中心として回転（公転）する側部支柱１５，１５の位置、より詳しくは、一方の側部支柱１５が下降したときの側部支柱１５の下端位置に対応している。つまり、中央支柱１０を中心とした側部支柱１５，１５の回転位置に拘わらず、一方の側部支柱１５が下降したときに該側部支柱１５の下端がストッパ２８に当接し、その最下点が規定されるようになっている。
【００３２】
上記のように構成されたトレーニング器具においては、まず、利用者が左右の足を個々に乗せる一対の足乗せプレート２６，２６が、平行リンク機構により連結されていて、いわゆるシーソーあるいは上皿天秤のように一方が上昇すると他方が下降する関係となっている。つまり、水平な回転中心軸線（例えば図２の回転中心軸線Ｍ３）の回りを一対の足乗せプレート２６，２６が自在に上下揺動する関係となっており、左右の体重のバランスによって、左右の足の高さが変化する。このとき、各々の足乗せプレート２６，２６は水平状態を維持する。なお、上下動する一対の足乗せプレート２６，２６の上下ストローク（可能な左右の高低差）としては、１０ｃｍ〜２０ｃｍ程度確保することが望ましい。
【００３３】
また、左右の足を乗せた一対の足乗せプレート２６，２６は、中央支柱１０を中心としてリンクプレート１７，１８を含む全体が自在に回転（公転）する。そして同時に、個々の足乗せプレート２６，２６が、側部支柱１５，１５を中心として自在に回転（自転）する。つまり、図２に示すように、一対の足乗せプレート２６，２６は、両者が一体となった形で垂直な回転中心軸線Ｍ１を中心として自在に回転（公転）するとともに、個々に垂直な回転中心軸線Ｍ２を中心として自在に回転（自転）する。
【００３４】
このように、上記トレーニング器具は、垂直な回転中心軸線Ｍ１，Ｍ２および水平な回転中心軸線Ｍ３に関する３つの自由度を組み合わせた構成となっており、これにより、ツイスト運動とバランス運動と足踏み運動の各要素を複合した形の効果的な運動が可能となる。
【００３５】
次に、上記トレーニング器具を利用して行うことができる運動について、図６〜図８を参照して説明する。
【００３６】
図６は、利用者Ｈがトレーニング器具の上に立って左右のバランスを取っている状態を示している。なお、図示するように、トレーニング器具を利用する際に、利用者Ｈは手摺り５に正対するように立つ。このようにトレーニング器具の上に立っているときに、体の重心が僅かでも左右に片寄ると、足乗せプレート２６，２６が容易に上下に動いてしまう。また、重心が前後に片寄ったり一方の足に不用意に力を入れたりすると、中央支柱１０（回転中心軸線Ｍ１）を中心として左右の足乗せプレート２６，２６が前後に離れるように回転してしまう。さらに、個々の足が乗っている足乗せプレート２６，２６も側部支柱１５，１５（回転中心軸線Ｍ２）を中心として容易に回転し、例えば左右のつま先が容易に拡がったりしてしまう。従って、図６のような姿勢で動かずに直立しているためには、重心位置を中心に保つようにバランスを取りながら、回転中心軸線Ｍ１，Ｍ２を中心とする不用意な回転が生じないように下半身の各部に力を加えている必要がある。下半身の筋力が衰えていると、図６のように直立姿勢を保つことはかなり困難である。そのため、図６のように単に立っているだけでも、バランス感覚の向上や下半身の各部の筋力増強が図れる。
【００３７】
次に、図７（ａ），（ｂ）は、図６の状態から左右に重心を移動させながら左右の足乗せプレート２６，２６を交互に上下動させる足踏み運動を行っている様子を示している。このとき、一般的なステッパーのようにスプリングや液圧等の外部負荷は与えられていないが、左右の足乗せプレート２６，２６に自身の体重が作用しているので、側部支柱１５がストッパ２８に当接しないようにバランスを取りながら一方の足乗せプレート２６を押し下げつつ他方の足乗せプレート２６の足を持ち上げるには、かなりの筋力が必要となる。また、前述した中央支柱１０（回転中心軸線Ｍ１）を中心とした左右の足乗せプレート２６，２６が前後に離れるような回転や、個々の足が乗っている足乗せプレート２６，２６の側部支柱１５，１５（回転中心軸線Ｍ２）を中心とした回転を、自身の筋力で抑制する必要があるので、図７（ａ），（ｂ）のような動作を繰り返すことで、バランス感覚の向上に加えて、体幹の強化や各部の筋力増強が図れる。つまり、図７の運動は、バランス運動および足踏み運動の要素を含んでいる。
【００３８】
次に、図８（ａ），（ｂ）は、バランス運動および足踏み運動の要素に加えてツイスト運動の要素を含む複合的な運動の例を示している。この運動は、（ａ）に示す右足を前に出すようにして下半身を一方（頭上から見て反時計回り方向）に捻る動作と、（ｂ）に示す左足を前に出すようにして下半身を他方（頭上から見て時計回り方向）に捻る動作と、を交互に行うものである。上半身は、手摺り５に正対した姿勢を保持する。必要があれば、図示するように、利用者Ｈは手摺り５を把持して上半身の向きを保持することができる。さらに、図７で説明した足踏み運動と同様に、（ａ）のように右足を前に出す際に、同時に、右足を左足よりも高くなるように持ち上げ（左足は逆に押し下げることとなる）、（ｂ）のように左足を前に出す際に、同時に、左足を右足よりも高くなるように持ち上げる（右足は逆に押し下げる）ことで、足踏み運動の要素を付加することができる。
【００３９】
（ａ）に示すように下半身を中央支柱１０（回転中心軸線Ｍ１）を中心として捻る際に、左右の足が乗っている足乗せプレート２６，２６は個々に自在に回転（自転）し得るので、利用者Ｈは、体幹を中心に下半身を大きく捻ることが可能である。例えば、図６のような初期位置から左右の足乗せプレート２６，２６の位置が入れ替わるような１８０°前後の捻り運動が可能である。同様に、（ｂ）に示すように反対方向へ捻る際に、図６のような初期位置から１８０°前後の捻り運動が可能である。従って、（ａ），（ｂ）の動作の間では、下半身が３６０°前後捻られることとなる。
【００４０】
この図８に示す運動では、（ａ），（ｂ）の動作をバランスを取りながら繰り返すことで、バランス感覚の向上が図れるのは勿論のこと、骨盤や股関節周囲が３次元的に大きく捻られ、股関節等の可動域が大きくなるとともに、体幹の強化が図れ、かつ中殿筋を含む股関節周囲ないし下半身の筋肉が強化される。
【００４１】
なお、図６〜図８の運動は、上記トレーニング器具を用いて行うことが可能な運動の一例に過ぎず、これら以外の態様の運動も勿論可能である。
【００４２】
このように、上記トレーニング器具によれば、自由度の高いことによるバランス感覚の向上、足踏み運動の要素を含むことによる下半身の強化、ツイスト運動の要素を含むことによる骨盤や股関節周囲ならびに体幹の強化および可動域の拡大、といった運動効果を短時間で効率よく得ることができる。
【００４３】
また上記実施例のトレーニング器具においては、ベースフレーム１が手摺り５を備えているので、利用者Ｈは手摺り５を把持して下半身をより大きく動かすことが可能となる。また、初心者も安心してトレーニング器具を利用できる。
【００４４】
また上記実施例では、上部リンクプレート１７が下部リンクプレート１８とともにＷ字形状をなしているので、図４のように一方の足乗せプレート２６が最下点に位置したときの上部リンクプレート１７と当該足乗せプレート２６との干渉が抑制される。そのため、足乗せプレート２６，２６の上下ストロークを大きく確保することができるとともに、最下点に位置する足乗せプレート２６と隣接する上部リンクプレート１７との間に十分な間隔を得ることができ、例えば靴が挟み込まれたりすることを抑制できる。
【００４５】
なお、下部リンクプレート１８については足乗せプレート２６との干渉回避の観点からはＷ字形状とする必要はないが、上記実施例では、下部リンクプレート１８を上部リンクプレート１７と同じＷ字形状とすることで、揺動時にＷ字形の各部が上部リンクプレート１７の各部と平行な姿勢を保つようにしている。これにより、上部リンクプレート１７と下部リンクプレート１８との干渉が抑制される。
【００４６】
また上記実施例では円環状のストッパ２８によって、どのような回転位置にあっても側部支柱１５，１５が最下点で位置決めされる。従って、最初に片足を足乗せプレート２６に乗せて図６のように立ち上がる際に、最初に足を乗せた方の側部支柱１５がストッパ２８によって安定して保持され、利用者Ｈに不安感を与えることがない。また、側部支柱１５下端による床面の傷付きを防止できる。
【符号の説明】
【００４７】
１…ベースフレーム
５…手摺り
１０…中央支柱
１５…側部支柱
１７…上部リンクプレート
１８…下部リンクプレート
２６…足乗せプレート
２８…ストッパ
【図１】
2019017437.tif 000003
【図２】
2019017437.tif 000004
【図３】
2019017437.tif 000005
【図４】
2019017437.tif 000006
【図５】
2019017437.tif 000007
【図６】
2019017437.tif 000008
【図７】
2019017437.tif 000009
【図８】
2019017437.tif 000010